(57)【要約】【課題】カラオケ歌唱を希望する利用者が、乗車中にカラオケ歌唱をする機会を確実に得ることが可能なカラオケ用コネクテッドカーを提供する。【解決手段】カラオケ装置を備え、利用者の乗車時刻及び降車時刻を設定した運行スケジュールに基づいて走行を制御するカラオケ用コネクテッドカーであって、運行開始前までに、利用者がカラオケ歌唱を希望する予約楽曲の楽曲情報を受け付ける受付部、楽曲情報に基づいて、予約楽曲の演奏時間を取得する取得部、運行スケジュールに基づいて、カラオケ歌唱を可能とする歌唱時間帯を利用者毎に設定する設定部、予約楽曲の演奏時間、及び設定された歌唱時間帯に基づいて、予約楽曲の演奏開始時刻を決定する決定部を有するカラオケ用コネクテッドカー。【選択図】図８
2020020862.tif 000002
【特許請求の範囲】
【請求項１】
車内でカラオケ演奏を行うためのカラオケ装置を備え、利用者の乗車時刻及び降車時刻を設定した運行スケジュールに基づいて走行を制御するカラオケ用コネクテッドカーであって、
前記カラオケ用コネクテッドカーの運行開始前までに、前記利用者がカラオケ歌唱を希望する予約楽曲の楽曲情報を受け付ける受付部と、
受け付けた前記楽曲情報に基づいて、前記予約楽曲の演奏時間を取得する取得部と、
前記運行スケジュールに基づいて、カラオケ歌唱を可能とする歌唱時間帯を利用者毎に設定する設定部と、
前記予約楽曲の演奏時間、及び設定された前記歌唱時間帯に基づいて、前記予約楽曲の演奏開始時刻を決定する決定部と、
を有するカラオケ用コネクテッドカー。
【請求項２】
設定された各利用者の前記歌唱時間帯を、カラオケ歌唱が可能な利用者に応じて複数の時間帯に分割する分割部を有し、
前記決定部は、前記分割された複数の時間帯毎に、前記演奏開始時刻を決定することを特徴とする請求項１記載のカラオケ用コネクテッドカー。
【請求項３】
前記決定部は、同じ利用者の予約楽曲が所定数以上連続しないよう、前記演奏開始時刻を決定することを特徴とする請求項１または２記載のカラオケ用コネクテッドカー。
【請求項４】
前記決定部は、同じ利用者の予約楽曲の演奏開始時刻が所定数連続して決定され、且つ他の利用者の予約楽曲のうち前記演奏開始時刻が未定の予約楽曲が存在しない場合、カラオケ演奏を行わない休息時間を設けることを特徴とする請求項１から３のいずれか一つに記載のカラオケ用コネクテッドカー。
【請求項５】
前記受付部は、利用者がカラオケ演奏を希望する一または複数の歌唱希望時間帯の情報を受け付け、
前記設定部は、前記運行スケジュール及び前記歌唱希望時間帯の情報に基づいて、前記歌唱時間帯を設定することを特徴とする請求項１から４のいずれか一つに記載のカラオケ用コネクテッドカー。
【発明の詳細な説明】
【技術分野】
【０００１】
本発明はカラオケ用コネクテッドカーに関する。
【０００２】
高齢化社会が抱える問題の一つに健康寿命というテーマがある。健康寿命は、健康上の問題で日常生活が制限されることなく生活できる期間である。近年における平均寿命の延伸に伴い、平均寿命と健康寿命との差の拡大（健康に生活できない期間の拡大）が問題となっている。よって、平均寿命の延伸に合わせて、健康寿命の延伸も求められている。
【０００３】
ここで、健康寿命の延伸のためには、地域社会での交流や活動が効果的であると言われている（非特許文献１参照）。
【０００４】
このような地域社会での交流や活動の手段として、カラオケ歌唱が着目されている。たとえば、通信カラオケシステムを備えたカラオケスナックの様な業態は、カラオケ事業において「ナイト市場」とも呼ばれていたが、最近では昼間も店を開いてカラオケ教室を運営したり、高齢者の社交場としての役割を果たしたりしている。
【０００５】
ところで、地域社会での交流や活動の一環としてカラオケ歌唱を楽しむためには、利用者が近所のカラオケスナック等まで足を運ぶ必要がある。一方、高齢者の中には身体上の問題で長距離の移動が困難な者もいる。このような高齢者は、家族に送り迎えをしてもらったり、公共交通機関等を利用する必要がある。そのため、高齢者によっては、カラオケ歌唱の機会を自由に得ることが困難な者もいる。さらに、カラオケスナック等、個人経営の店舗のオーナー自身も高齢化が進み、後継者不在のために閉店する店舗が増えており、カラオケ事業におけるナイト市場縮小の大きな原因となっている。すなわち、高齢者が足を運ぶカラオケスナック等の店舗自体が減少しているため、高齢者がカラオケ歌唱を行う場がより少なくなっている。
【先行技術文献】
【非特許文献】
【０００６】
【非特許文献１】東京大学  高齢社会総合研究機構ホームページ、［平成３０年７月１４日検索］、インターネット＜ＵＲＬ：http://www.iog.u-tokyo.ac.jp/＞
【発明の概要】
【発明が解決しようとする課題】
【０００７】
上述の問題を解決するため、特願２０１８−１０１３１３号公報では、車内でカラオケ歌唱を行うためのカラオケ装置を備え、予め計画された運行スケジュールに基づいて各利用者の送り迎えを行うカラオケ用コネクテッドカーの技術が提案されている。
【０００８】
ところで、機械操作に慣れていない高齢者や体が不自由な利用者等、カラオケ装置の利用者の中にはリモコン装置の操作が困難な者もいる。カラオケスナック等の店舗においては、このような利用者に代わって店員がリモコン装置を操作し、楽曲の予約等を行うことができる。一方、特願２０１８−１０１３１３号公報に記載のカラオケ用コネクテッドカーは、自動運転により走行するため、利用者に代わってリモコン装置を操作してくれる者が居ない。そのため、利用者によっては、カラオケ用コネクテッドカーに乗車したにも関わらず、カラオケ歌唱を行うことができない可能性がある。
【０００９】
本発明の目的は、カラオケ歌唱を希望する利用者が、乗車中にカラオケ歌唱をする機会を確実に得ることが可能なカラオケ用コネクテッドカーを提供することにある。
【課題を解決するための手段】
【００１０】
上記目的を達成するための主たる発明は、車内でカラオケ演奏を行うためのカラオケ装置を備え、利用者の乗車時刻及び降車時刻を設定した運行スケジュールに基づいて走行を制御するカラオケ用コネクテッドカーであって、前記カラオケ用コネクテッドカーの運行開始前までに、前記利用者がカラオケ歌唱を希望する予約楽曲の楽曲情報を受け付ける受付部と、受け付けた前記楽曲情報に基づいて、前記予約楽曲の演奏時間を取得する取得部と、前記運行スケジュールに基づいて、カラオケ歌唱を可能とする歌唱時間帯を利用者毎に設定する設定部と、前記予約楽曲の演奏時間、及び設定された前記歌唱時間帯に基づいて、前記予約楽曲の演奏開始時刻を決定する決定部と、を有するカラオケ用コネクテッドカーである。
本発明の他の特徴については、後述する明細書及び図面の記載により明らかにする。
【発明の効果】
【００１１】
本発明によれば、カラオケ歌唱を希望する利用者が、乗車中にカラオケ歌唱をする機会を確実に得ることができる。
【図面の簡単な説明】
【００１２】
【図１】第１実施形態におけるカラオケ用コネクテッドカーの概略を示す図である。
【図２】第１実施形態における運行スケジュールを示す図である。
【図３】第１実施形態におけるカラオケ装置を示す図である。
【図４】第１実施形態におけるコンピュータ装置を示す図である。
【図５】第１実施形態における利用者毎の乗車時刻、降車時刻、歌唱時間帯、各利用者がカラオケ歌唱を希望する予約楽曲、及び取得された演奏時間を示した図である。
【図６】第１実施形態における歌唱時間帯を複数の時間帯に分割した図である。
【図７】第１実施形態における予約楽曲の演奏時刻表を示した図である。
【図８】第１実施形態におけるカラオケ用コネクテッドカーの処理を示すフローチャートである。
【図９】第２実施形態における乗車希望時刻、降車希望時刻、歌唱希望時間帯、食事の要否、及び予約楽曲を示した図である。
【図１０】第２実施形態における利用者毎の乗車時刻、降車時刻、歌唱時間帯、各利用者がカラオケ歌唱を希望する予約楽曲、及び取得された演奏時間を示した図である。
【図１１】第２実施形態における歌唱時間帯を複数の時間帯に分割した図である。
【図１２】変形例における予約楽曲の演奏時刻表を示した図である。
【発明を実施するための形態】
【００１３】
＜第１実施形態＞
図１−図８を参照して、第１実施形態に係るカラオケ用コネクテッドカーについて説明する。本実施形態に係るカラオケ用コネクテッドカーは、所定の利用者だけを対象とするものではないが、身体上の問題で長距離移動が困難な高齢者が利用することがより好ましい。
【００１４】
＝＝カラオケ用コネクテッドカー＝＝
カラオケ用コネクテッドカー１は、ＩＣＴ端末としての機能を有する自動車である。カラオケ用コネクテッドカー１は、公知の自動運転技術を搭載している。カラオケ用コネクテッドカー１は、カラオケ装置Ｋ及びコンピュータ装置Ｃを有する（図１参照）。
【００１５】
ここで、本実施形態に係るカラオケ用コネクテッドカー１は、利用者の乗車時刻及び降車時刻を設定した運行スケジュールに基づいて走行を制御する。運行スケジュールは、カラオケ用コネクテッドカー１を運行する前に計画される。
【００１６】
たとえば、ある利用日にカラオケ用コネクテッドカー１を利用したいと考えた複数の利用者がいるとする。各利用者は、自己が所有するＰＣや携帯端末を介して、利用日、乗車希望時刻、及び降車希望時刻を入力する。なお、利用者が高齢である場合には、利用者の家族等、他者が利用者の希望を聞いて本人の代わりに入力することができる。コンピュータ装置Ｃは、予め記憶されている地図情報、及び受け付けた各情報に基づいて、利用者の乗車時刻及び降車時刻を設定した運行スケジュールを計画する。地図情報は、カラオケ用コネクテッドカー１が一定時間内に走行可能な範囲における道路や建物、地形等の情報である。地図情報は、所定地域に居住する利用者の自宅住所等を含む。乗車時刻及び降車時刻は、ある利用日において、利用者がカラオケ用コネクテッドカー１に乗車可能な時刻及び降車可能な時刻である。
【００１７】
なお、運行スケジュールの計画方法及びカラオケ用コネクテッドカー１の走行制御等の詳細については、特願２０１８−１０１３１３号公報を参照して援用する。但し、計画法はこれに限られるものではない。たとえば、各利用者から入力された利用日、乗車希望時刻、及び降車希望時刻を、カラオケ用コネクテッドカー１の運行会社の社員が確認し、手作業で運行スケジュールを計画してもよい。
【００１８】
図２は、上記運行スケジュールの計画方法に基づいて、最終的に確定した運行スケジュールの例を示す。図２の運行スケジュールは、利用日Ｘにカラオケ用コネクテッドカー１を利用したいと考えた利用者Ａ−利用者Ｈの乗車時刻及び降車時刻を示している。なお、この例における利用日等の入力順は、利用者Ａ、利用者Ｂ、利用者Ｃ、利用者Ｄ、利用者Ｅ、利用者Ｆ、利用者Ｇ、利用者Ｈであったとする。
【００１９】
カラオケ用コネクテッドカー１は、計画された運行スケジュールに基づいて各利用者の自宅まで移動することで、各利用者の送迎を行う。たとえば、図２の例において、カラオケ用コネクテッドカー１は、１１：００に利用者Ｃの自宅まで迎えに行き、１４：１３に利用者Ｃを自宅に送り届ける。利用者Ｃは、カラオケ用コネクテッドカー１に乗車中、カラオケ歌唱を行うことができる。
【００２０】
＝＝カラオケ装置＝＝
カラオケ装置Ｋは、カラオケ用コネクテッドカー１に乗車した利用者が、車内でカラオケ歌唱を行うための装置である。図３に示すように、カラオケ装置Ｋは、カラオケ本体１０、スピーカ２０、表示装置３０、マイク４０、及びリモコン装置５０を備える。
【００２１】
カラオケ本体１０は、楽曲の演奏制御、歌詞や背景映像等の表示制御、マイク４０を通じて入力された音声信号の処理といった、カラオケ演奏やカラオケ歌唱に関する各種の制御を行う。カラオケ本体１０は、カラオケ演奏を行うための伴奏データや属性情報（曲名、歌手名、演奏時間等）を識別情報（楽曲ＩＤ）と関連付けて記憶している。スピーカ２０はカラオケ本体１０からの放音信号に基づいて放音するための構成である。表示装置３０はカラオケ本体１０からの信号に基づいて映像や画像を画面に表示するための構成である。マイク４０は利用者の歌唱音声をアナログの音声信号に変換してカラオケ本体１０に入力するための構成である。リモコン装置５０は、カラオケ本体１０に対する各種操作をおこなうための装置である。
【００２２】
カラオケ用コネクテッドカー１に乗車した利用者は、たとえば、リモコン装置５０を介してカラオケ楽曲の選曲を行う。カラオケ本体１０は、選曲された楽曲のカラオケ演奏を行いつつ、表示装置３０に歌詞や背景映像を表示させる。利用者は、表示された歌詞を参照しながら、マイク４０を介してカラオケ歌唱を行うことができる。
【００２３】
ここで、本実施形態においては、利用者がカラオケ用コネクテッドカー１に乗車する前に予めカラオケ歌唱を希望する楽曲（予約楽曲）の入力を行うことができる。この場合、カラオケ装置Ｋは、入力された予約楽曲毎に決定された演奏開始時刻に基づいて、自動的に当該予約楽曲のカラオケ演奏を行う（詳細は後述）。
【００２４】
なお、カラオケ用コネクテッドカー１に予め設置されている車両用スピーカを、スピーカ２０の代わりに利用してもよい。また、車両に搭載されているカーナビゲーション装置を、表示装置３０やリモコン装置５０の代わりとして機能させてもよい。
【００２５】
＝＝コンピュータ装置＝＝
コンピュータ装置Ｃは、カラオケ用コネクテッドカー１における各種制御を行うための装置である。図４に示すように、本実施形態に係るコンピュータ装置Ｃは、記憶部６０、通信部７０、入力部８０、及び制御部９０を備える。各構成はインターフェース（図示なし）を介してバスＢに接続されている。
【００２６】
［記憶部・通信部・入力部］
記憶部６０は、各種のデータを記憶する大容量の記憶装置（ＨＤＤ）である。通信部７０は、カラオケ装置Ｋや各利用者（各利用者が所有するＰＣや携帯端末）との通信を行うためのインターフェースを提供する。入力部８０は、利用者が各種の指示入力を行うための構成である。
【００２７】
［制御部］
制御部９０は、カラオケ用コネクテッドカー１における各種の制御を行う。制御部９０は、ＣＰＵおよびメモリ（いずれも図示無し）を備える。ＣＰＵは、メモリに記憶されたプログラムを実行することにより各種の機能を実現する。本実施形態においてはＣＰＵがメモリに記憶されるプログラムを実行することにより、制御部９０は、受付部９０ａ、取得部９０ｂ、設定部９０ｃ、分割部９０ｄ及び決定部９０ｅとして機能する。
【００２８】
（受付部）
受付部９０ａは、カラオケ用コネクテッドカー１の運行開始前までに、利用者がカラオケ歌唱を希望する予約楽曲の楽曲情報を受け付ける。
【００２９】
楽曲情報は、楽曲毎に設定されている識別情報（楽曲ＩＤ）や楽曲名等である。楽曲情報の受付は、運行開始前であればいつでも可能である。たとえば、運行開始直前まで受付を行ってもよいし、「利用日の前日１７：００まで」のように予め所定の時刻を設定してもよい。
【００３０】
予約楽曲の数は、予め所定数（利用者一人につき１０曲まで）が設定されていてもよいし、特に数に制限を設けなくてもよい。
【００３１】
利用者（或いはその家族等）は、自己が所有するＰＣや携帯端末を介して、予約楽曲の楽曲情報を入力する。受付部９０ａは、入力された楽曲情報を受け付ける。受付部９０ａは、受け付けた楽曲情報を取得部９０ｂに出力する。複数の楽曲情報の入力を受け付けた場合、受付部９０ａは、受け付けた順番に取得部９０ｂに楽曲情報を出力する。
【００３２】
本実施形態においては、利用者が、設定された所定の時刻までにカラオケ用コネクテッドカー１の利用日、乗車希望時刻、降車希望時刻の入力と併せて楽曲情報の入力を行うものとし、受付部９０ａは、それらの情報をまとめて受け付ける。なお、利用者は、確定したカラオケ用コネクテッドカー１の運行スケジュールを確認しながら楽曲情報の入力を行ってもよい。この場合、受付部９０ａは、楽曲情報のみを別途、受け付ける。
【００３３】
また、一旦楽曲情報を入力した後、気分が変わった等の理由で予約楽曲を追加・変更したい場合もありうる。その場合、利用者は、運行開始前であれば、新たな予約楽曲の追加や、既に予約した楽曲の削除を行うことができる。この場合、決定部９０ｅは、改めて各予約楽曲の演奏開始時刻を決定する処理（後述）を行う。
【００３４】
なお、カラオケ用コネクテッドカー１内で食事を希望する利用者は、楽曲情報等の入力と併せて食事提供の依頼を入力することも可能である。カラオケ用コネクテッドカー１の運行会社の社員は、当該依頼に基づき、カラオケ用コネクテッドカー１の運行開始までに食事を準備し、積載しておく。
【００３５】
また、カラオケ歌唱を希望しない利用者（たとえば、他の利用者との会話を目的とする利用者や他人のカラオケ歌唱を聴くことに専念したい利用者）については、楽曲情報の入力は行わなくともよい。
【００３６】
（取得部）
取得部９０ｂは、受け付けた楽曲情報に基づいて、予約楽曲の演奏時間を取得する。
【００３７】
たとえば、受付部９０ａが予約楽曲Ｍ０１の楽曲ＩＤを出力した場合、取得部９０ｂは、当該楽曲ＩＤと一致する楽曲ＩＤをカラオケ装置Ｋが記憶している楽曲データの中から抽出し、抽出した楽曲データに含まれる属性情報から予約楽曲Ｍ０１の演奏時間を取得することができる。或いは、取得部９０ｂは、予め用意された楽曲毎の演奏時間を定めたテーブルを参照して、対応する予約楽曲の演奏時間を取得してもよい。テーブルは、たとえばカラオケ装置Ｋに記憶されている。
【００３８】
（設定部）
設定部９０ｃは、運行スケジュールに基づいて、カラオケ歌唱を可能とする歌唱時間帯を利用者毎に設定する。
【００３９】
歌唱時間帯は、カラオケ用コネクテッドカー１に乗車した利用者が実際にカラオケ歌唱を行うことが可能となる時間帯である。すなわち、乗車してすぐや、降車時刻近傍を除いた時間帯である。たとえば、設定部９０ｃは、ある利用者の乗車時刻から所定時間経過後（たとえば乗車時刻の５分後）を歌唱開始時刻とし、降車時刻よりも所定時間前（たとえば降車時刻の５分前）を歌唱終了時刻とする時間帯を、当該ある利用者の歌唱時間帯として設定する。所定時間は、予め適当な値（たとえば５分）が設定されていてもよいし、利用者の年齢や性別等に応じて利用者毎に調整してもよい。たとえば、高齢の利用者は降車準備に時間を要する傾向にある。そのため、設定部９０ｃは、降車時刻の１０分前を歌唱終了時刻として設定することができる。なお上述の通り、カラオケ用コネクテッドカー１への乗車を希望しているが、楽曲情報の入力を行っていない利用者が居る場合もありうる。この場合、設定部９０ｃは、歌唱時間帯の設定を行わない。
【００４０】
歌唱時間帯の設定は、運行スケジュールが確定し、且つ予約楽曲の受付が終了した後に行う。図５は、図２に示した運行スケジュールに基づいて設定された利用者毎の歌唱時間帯、各利用者がカラオケ歌唱を希望する予約楽曲、及び取得された演奏時間を示した図である。たとえば、利用者Ａについて、乗車時刻１１：３０の５分後（１１：３５）を歌唱開始時刻とし、降車時刻１４：００の５分前（１３：５５）を歌唱終了時刻とする歌唱時間帯が設定されている。また利用者Ａは、予約楽曲Ｍ０１（演奏時間４：２０）及び予約楽曲Ｍ０２（演奏時間５：１５）の２曲のカラオケ歌唱を希望している。一方、カラオケ歌唱を希望しないため楽曲情報の入力を行っていない利用者Ｇについては、歌唱時間帯の設定が行われていない。なお、図５の例に示す予約楽曲は、利用者が楽曲情報の入力を行った順に左から並べられている。たとえば、図５において、利用者Ｂは、予約楽曲Ｍ０３、Ｍ０４、Ｍ０５の順で楽曲情報の入力を行ったことを示している。
【００４１】
（分割部）
分割部９０ｄは、設定された各利用者の歌唱時間帯を、カラオケ歌唱が可能な利用者に応じて複数の時間帯に分割する。
【００４２】
具体的に、分割部９０ｄは、まず、全ての利用者の歌唱時間帯から、最も早い歌唱開始時刻と最も遅い歌唱終了時刻とを特定し、それらの間を全体の歌唱時間帯とする。そして、分割部９０ｄは、全体の歌唱時間帯を、カラオケ歌唱が可能な利用者が変わる時刻毎に複数の時間帯に分割する。
【００４３】
たとえば、図５の例において、分割部９０ｄは、最も早い歌唱開始時刻である利用者Ｃの歌唱開始時刻１１：０５と、最も遅い歌唱終了時刻である利用者Ｅの歌唱終了時刻１７：０１を特定し、全体の歌唱時間帯とする。
【００４４】
そして、分割部９０ｄは、カラオケ歌唱が可能な利用者が変わる時刻に応じて、全体の歌唱時間帯を分割する。すなわち、図６に示すように、分割部９０ｄは、全体の歌唱時間帯（１１：０５−１７：０１）を、利用者Ｃのみがカラオケ歌唱が可能である時間帯Ｔ０１（１１：０５−１１：１０の５分間）、利用者Ｃ及び利用者Ｈのみがカラオケ歌唱が可能である時間帯Ｔ０２（１１：１０−１１：３５の２５分間）、利用者Ａ、利用者Ｃ、利用者Ｈのみがカラオケ歌唱が可能である時間帯Ｔ０３（１１：３５−１２：３５の６０分間）、利用者Ａ、利用者Ｃ、利用者Ｆ、利用者Ｈのみがカラオケ歌唱が可能である時間帯Ｔ０４（１２：３５−１２：５５の２０分間）、利用者Ａ、利用者Ｃ、利用者Ｆのみがカラオケ歌唱が可能である時間帯Ｔ０５（１２：５５−１３：３５の４０分間）、利用者Ａ、利用者Ｂ、利用者Ｃ、利用者Ｆのみがカラオケ歌唱が可能である時間帯Ｔ０６（１３：３５−１３：５５の２０分間）、利用者Ｂ、利用者Ｃ、利用者Ｆのみがカラオケ歌唱が可能である時間帯Ｔ０７（１３：５５−１４：０８の１３分間）、利用者Ｂ、利用者Ｆのみがカラオケ歌唱が可能である時間帯Ｔ０８（１４：０８−１４：２８の２０分間）、利用者Ｂ、利用者Ｅ、利用者Ｆのみがカラオケ歌唱が可能である時間帯Ｔ０９（１４：２８−１５：０５の３７分間）、利用者Ｂ、利用者Ｄ、利用者Ｅ、利用者Ｆのみがカラオケ歌唱が可能である時間帯Ｔ１０（１５：０５−１５：２５の２０分間）、利用者Ｄ、利用者Ｅ、利用者Ｆのみがカラオケ歌唱が可能である時間帯Ｔ１１（１５：２５−１５：３７の１２分間）、利用者Ｄ、利用者Ｅのみがカラオケ歌唱が可能である時間帯Ｔ１２（１５：３７−１６：５５の７８分間）、及び利用者Ｅのみがカラオケ歌唱が可能である時間帯Ｔ１３（１６：５５−１７：０１の６分間）の１３の時間帯に分割する。より具体的には、図５に示した７の歌唱時間帯の開始時刻（１１：３５、１３：３５、１１：０５、１５：０５、１４：２８、１２：３５、１１：１０）と終了時刻（１３：５５、１５：２５、１４：０８、１６：５５、１７：０１、１５：３７、１２：５５）の計１４の時刻情報を早い順に並べることにより（１１：０５、１１：１０、１１：３５、１２：３５、１２：５５、１３：３５、１３：５５、１４：０８、１４：２８、１５：０５、１５：２５、１５：３７、１６：５５、１７：０１）、１３の時間帯を得ることができる。そして、当該時間帯を歌唱時間帯に含む利用者を、各時間帯に対してそれぞれ紐付ける。
【００４５】
（決定部）
決定部９０ｅは、予約楽曲の演奏時間、及び設定された歌唱時間帯に基づいて、予約楽曲の演奏開始時刻を決定する。本実施形態において、決定部９０ｅは、分割された複数の時間帯毎に、演奏開始時刻を決定する。更に、決定部９０ｅは、同じ利用者の予約楽曲が所定数以上連続しないよう、演奏開始時刻を決定する。また、決定部９０ｅは、同じ利用者の予約楽曲の演奏開始時刻が所定数連続して決定され、且つ他の利用者の予約楽曲のうち演奏開始時刻が未定の予約楽曲が存在しない場合、カラオケ演奏を行わない休息時間を設ける。
【００４６】
以下、決定部９０ｅによる演奏開始時刻の決定及び休息時間の設定について詳細に説明する。この例では、図５に示した予約楽曲それぞれの演奏開始時刻を図６に示した時間帯毎に決定する例について述べる。
【００４７】
決定部９０ｅは、分割された時間帯のうち、最も早い時間帯から順に予約楽曲の演奏開始時刻を決定する。
【００４８】
（時間帯Ｔ０１）
まず、決定部９０ｅは、時間帯Ｔ０１の５分間にカラオケ歌唱が可能な利用者Ｃの予約楽曲のうち、演奏開始時刻が未定の予約楽曲を確認する。この時点においては、利用者Ｃの予約楽曲全て（予約楽曲Ｍ０２、Ｍ０５、Ｍ０６、Ｍ０７、Ｍ０８、Ｍ０９、Ｍ１０、Ｍ１１、Ｍ１２、及びＭ１３の１０曲）の演奏開始時刻が未定となっている。
【００４９】
決定部９０ｅは、予約楽曲の演奏時間が時間帯Ｔ０１に含まれるかどうかを判断する。また、この例のように演奏開始時刻が未定の楽曲が複数ある場合、決定部９０ｅは、たとえば予約楽曲の楽曲情報が入力された順に、予約楽曲の演奏時間が時間帯Ｔ０１に含まれるかどうかを判断する。
【００５０】
ここで、利用者Ｃによって最初に楽曲情報が入力された予約楽曲Ｍ０２の演奏時間は、「５：１５」である。よって、時間帯Ｔ０１の間（５分間）にカラオケ演奏を終了することができない。
【００５１】
従って、決定部９０ｅは、時間帯Ｔ０１内では演奏開始時刻を決定できない、すなわち、時間帯Ｔ０１でカラオケ演奏が可能な楽曲は無いとして、時間帯Ｔ０１における演奏開始時刻の決定を終了する。よって、時間帯Ｔ０１においてカラオケ演奏される楽曲は無い（図７参照）。
【００５２】
なお、この例において、利用者Ｃがカラオケ歌唱を希望する予約楽曲は、予約楽曲Ｍ０２以外に９曲の予約楽曲が存在する。このようにある利用者について複数の予約楽曲が存在する場合、決定部９０ｅは、予約楽曲それぞれについて、時間帯Ｔ０１で演奏開始時刻を設定できるかどうかを判断してもよい。この例であれば、予約楽曲Ｍ０５は、演奏時間が「４：４５」であるため、時間帯Ｔ０１中にカラオケ演奏を終了することができる。また、予約楽曲の演奏時間が時間帯Ｔ０１に含まれるかどうかの判断は、予約楽曲の楽曲情報が入力された順に関わらず、所定の順番（たとえば、入力順が最後の予約情報から順）で行うことも可能であるし、特定の順番を決めることなくランダムに行ってもよい。
【００５３】
（時間帯Ｔ０２）
次に、決定部９０ｅは、時間帯Ｔ０２の２５分間にカラオケ歌唱が可能な利用者Ｃ及び利用者Ｈの予約楽曲のうち、演奏開始時刻が未定の予約楽曲を確認する。この時点において、利用者Ｃの予約楽曲全て（予約楽曲Ｍ０２、Ｍ０５、Ｍ０６、Ｍ０７、Ｍ０８、Ｍ０９、Ｍ１０、Ｍ１１、Ｍ１２、及びＭ１３の１０曲）の演奏開始時刻が未定となっている。また、利用者Ｈの予約楽曲全て（予約楽曲Ｍ０２、Ｍ０６、Ｍ２４、及びＭ２５の４曲）の演奏開始時刻が未定となっている。
【００５４】
決定部９０ｅは、予約楽曲の演奏時間が時間帯Ｔ０２に含まれるかどうかを判断する。また、この例のようにカラオケ歌唱が可能な利用者が複数存在する場合、決定部９０ｅは、たとえば利用日等の入力（受付）が早い利用者から順に演奏開始時刻を決定する。上述の通り、本実施形態においては利用者Ｃの方が利用者Ｈよりも早く利用日等の入力を行っている。よって、決定部９０ｅは、利用者Ｃの予約楽曲について楽曲情報が入力された順に、予約楽曲の演奏時間が時間帯Ｔ０２に含まれるかどうかを判断する。
【００５５】
ここで、利用者Ｃによって最初に楽曲情報が入力された予約楽曲Ｍ０２の演奏時間は、「５：１５」である。よって、時間帯Ｔ０２の間（２５分間）にカラオケ演奏を終了することができる。
【００５６】
従って、決定部９０ｅは、予約楽曲Ｍ０２の演奏開始時刻を「１１：１０：００」と決定する。この場合、予約楽曲Ｍ０２の演奏時刻は「１１：１０：００−１１：１５：１５」となる（図７参照）。
【００５７】
決定部９０ｅは、引き続き、時間帯Ｔ０２の間に予約楽曲の演奏開始時刻を決定できるかどうかを判断する。この例において、決定部９０ｅは、利用者Ｃの残りの予約楽曲について、その演奏時間が時間帯Ｔ０２に含まれるかどうかを判断する。ここで、連続して予約楽曲の演奏開始時刻を決定する場合、決定部９０ｅは、先の予約楽曲の演奏終了時刻の後に所定の間隔を設けて次の予約楽曲の演奏開始時刻を設定することが好ましい。この例では、決定部９０ｅは、予約楽曲Ｍ０２の演奏終了時刻「１１：１５：１５」について１分未満の端数を繰り上げ、且つ所定時間「２分」を加えた「１１：１８：００」を次の予約楽曲の演奏開始時刻として決定する。以下に述べる全ての演奏開始時刻は、直前の演奏終了時刻について１分未満の端数を繰り上げ、且つ所定時間「２分」を加えたものである。
【００５８】
ここで、利用者Ｃによって楽曲情報が入力された予約楽曲Ｍ０５の演奏時間は、「４：４５」である。よって、時間帯Ｔ０２の残りの時間内（１７分間）にカラオケ演奏を終了することができる。
【００５９】
従って、決定部９０ｅは、予約楽曲Ｍ０５の演奏開始時刻を「１１：１８：００」と決定する。この場合、予約楽曲Ｍ０５の演奏時刻は「１１：１８：００−１１：２２：４５」となる（図７参照）。
【００６０】
決定部９０ｅは、引き続き、時間帯Ｔ０２の間に予約楽曲の演奏開始時刻を決定できるかどうかを判断する。ここで、時間帯Ｔ０２では、カラオケ歌唱が可能な利用者として利用者Ｃ及び利用者Ｈの２名が存在する。このようにある時間帯にカラオケ歌唱が可能な利用者が複数いる場合、ある利用者のみが連続してカラオケ歌唱を行うと、他の利用者はカラオケ歌唱を楽しむことができない。そこで、決定部９０ｅは、同じ利用者の予約楽曲が所定数以上連続しないよう、演奏開始時刻を決定することができる。所定数は、一の利用者が連続してカラオケ歌唱を可能とする曲数を決めるための値であり、予め決定されている（たとえば２曲）。
【００６１】
この例では所定数が「２曲」とされているとする。よって、既に利用者Ｃの予約楽曲が２曲連続しているため、決定部９０ｅは、利用者Ｈの各予約楽曲の演奏時間が時間帯Ｔ０２に含まれるかどうかを判断する。
【００６２】
ここで、次の予約楽曲の演奏開始時刻は「１１：２５：００」であり、利用者Ｈによって最初に楽曲情報が入力された予約楽曲Ｍ０２の演奏時間は、「５：１５」である。よって、時間帯Ｔ０２の残りの時間内（１０分間）にカラオケ演奏を終了することができる。
【００６３】
従って、決定部９０ｅは、予約楽曲Ｍ０２の演奏開始時刻を「１１：２５：００」と決定する。この場合、予約楽曲Ｍ０２の演奏時刻は「１１：２５：００−１１：３０：１５」となる（図７参照）。
【００６４】
決定部９０ｅは、引き続き、利用者Ｈの残りの予約楽曲について、その演奏時間が時間帯Ｔ０２に含まれるかどうかを判断する。
【００６５】
ここで、次の予約楽曲の演奏開始時刻は「１１：３３：００」であり、利用者Ｈの予約楽曲Ｍ０６の演奏時間は、「５：２５」である。よって、時間帯Ｔ０２の残りの時間内（２分間）にカラオケ演奏を終了することができない。この場合、決定部９０ｅは、時間帯Ｔ０２における演奏開始時刻の決定を終了する。
【００６６】
（時間帯Ｔ０３）
次に、決定部９０ｅは、時間帯Ｔ０３の６０分間にカラオケ歌唱が可能な利用者Ａ、利用者Ｃ及び利用者Ｈの予約楽曲のうち、演奏開始時刻が未定の予約楽曲を確認する。この時点において、利用者Ａの予約楽曲全て（予約楽曲Ｍ０１及びＭ０２の２曲）の演奏開始時刻が未定となっている。一方、利用者Ｃの予約楽曲については、既に演奏開始時刻が決定されたＭ０２及びＭ０５を除く８曲（予約楽曲Ｍ０６、Ｍ０７、Ｍ０８、Ｍ０９、Ｍ１０、Ｍ１１、Ｍ１２、及びＭ１３）の演奏開始時刻が未定となっている。また、利用者Ｈの予約楽曲については、既に演奏開始時刻が決定されたＭ０２を除く３曲（予約楽曲Ｍ０６、Ｍ２４、及びＭ２５）の演奏開始時刻が未定となっている。
【００６７】
決定部９０ｅは、各利用者のうち、利用日等の入力（受付）が最も早い利用者Ａの予約楽曲の演奏時間が時間帯Ｔ０３に含まれるかどうかを判断する。
【００６８】
ここで、利用者Ａによって最初に楽曲情報が入力された予約楽曲Ｍ０１の演奏時間は、「４：２０」である。よって、時間帯Ｔ０３の間（６０分間）にカラオケ演奏を終了することができる。
【００６９】
従って、決定部９０ｅは、予約楽曲Ｍ０１の演奏開始時刻を「１１：３５：００」と決定する。この場合、予約楽曲Ｍ０１の演奏時刻は「１１：３５：００−１１：３９：２０」となる（図７参照）。
【００７０】
決定部９０ｅは、引き続き、利用者Ａの残りの予約楽曲について、その演奏時間が時間帯Ｔ０３に含まれるかどうかを判断する。
【００７１】
ここで、次の予約楽曲の演奏開始時刻は「１１：４２：００」であり、利用者Ａによって楽曲情報が入力された予約楽曲Ｍ０２の演奏時間は、「５：１５」である。よって、時間帯Ｔ０３の残りの時間内（５３分間）にカラオケ演奏を終了することができる。
【００７２】
従って、決定部９０ｅは、予約楽曲Ｍ０２の演奏開始時刻を「１１：４２：００」と決定する。この場合、予約楽曲Ｍ０２の演奏時刻は「１１：４２：００−１１：４７：１５」となる（図７参照）。この段階で、利用者Ａがカラオケ歌唱を希望する予約楽曲は全て演奏開始時刻が決定された。すなわち、利用者Ａは、予約楽曲を全てカラオケ歌唱することが可能となる。
【００７３】
決定部９０ｅは、引き続き、時間帯Ｔ０３の間に予約楽曲の演奏開始時刻を決定できるかどうかを判断する。この例において、決定部９０ｅは、利用日等の入力（受付）が利用者Ａの次に早い利用者Ｃの予約楽曲の演奏時間が時間帯Ｔ０３に含まれるかどうかを判断する。
【００７４】
ここで、次の予約楽曲の演奏開始時刻は「１１：５０：００」であり、利用者Ｃの残りの予約楽曲のうち、予約楽曲Ｍ０６の演奏時間は、「５：２５」である。よって、時間帯Ｔ０３の残りの時間内（４５分間）にカラオケ演奏を終了することができる。
【００７５】
従って、決定部９０ｅは、予約楽曲Ｍ０６の演奏開始時刻を「１１：５０：００」と決定する。この場合、予約楽曲Ｍ０６の演奏時刻は「１１：５０：００−１１：５５：２５」となる（図７参照）。
【００７６】
決定部９０ｅは、引き続き、利用者Ｃの残りの予約楽曲について、その演奏時間が時間帯Ｔ０３に含まれるかどうかを判断する。
【００７７】
ここで、次の予約楽曲の演奏開始時刻は「１１：５８：００」であり、利用者Ｃの予約楽曲Ｍ０７の演奏時間は、「４：０５」である。よって、時間帯Ｔ０３の残りの時間内（３７分間）にカラオケ演奏を終了することができる。
【００７８】
従って、決定部９０ｅは、予約楽曲Ｍ０７の演奏開始時刻を「１１：５８：００」と決定する。この場合、予約楽曲Ｍ０７の演奏時刻は「１１：５８：００−１２：０２：０５」となる（図７参照）。
【００７９】
ここで、利用者Ｃの予約楽曲が２曲連続したため、決定部９０ｅは、利用者Ｈの各予約楽曲の演奏時間が時間帯Ｔ０３に含まれるかどうかを判断する。
【００８０】
次の予約楽曲の演奏開始時刻は「１２：０５：００」であり、利用者Ｈの残りの予約楽曲のうち、予約楽曲Ｍ０６の演奏時間は、「５：２５」である。よって、時間帯Ｔ０３の残りの時間内（３０分間）にカラオケ演奏を終了することができる。
【００８１】
従って、決定部９０ｅは、予約楽曲Ｍ０６の演奏開始時刻を「１２：０５：００」と決定する。この場合、予約楽曲Ｍ０６の演奏時刻は「１２：０５：００−１２：１０：２５」となる（図７参照）。
【００８２】
決定部９０ｅは、引き続き、利用者Ｈの残りの予約楽曲について、その演奏時間が時間帯Ｔ０３に含まれるかどうかを判断する。
【００８３】
ここで、次の予約楽曲の演奏開始時刻は「１２：１３：００」であり、利用者Ｈの残りの予約楽曲のうち、予約楽曲Ｍ２４の演奏時間は、「３：４５」である。よって、時間帯Ｔ０３の残りの時間内（２２分間）にカラオケ演奏を終了することができる。
【００８４】
従って、決定部９０ｅは、予約楽曲Ｍ２４の演奏開始時刻を「１２：１３：００」と決定する。この場合、予約楽曲Ｍ２４の演奏時刻は「１２：１３：００−１２：１６：４５」となる（図７参照）。
【００８５】
ここで、利用者Ｈの予約楽曲が２曲連続したため、決定部９０ｅは、利用者Ｃの各予約楽曲の演奏時間が時間帯Ｔ０３に含まれるかどうかを判断する。
【００８６】
次の予約楽曲の演奏開始時刻は「１２：１９：００」であり、利用者Ｃの残りの予約楽曲のうち、予約楽曲Ｍ０８の演奏時間は、「６：２０」である。よって、時間帯Ｔ０３の残りの時間内（１６分間）にカラオケ演奏を終了することができる。
【００８７】
従って、決定部９０ｅは、予約楽曲Ｍ０８の演奏開始時刻を「１２：１９：００」と決定する。この場合、予約楽曲Ｍ０８の演奏時刻は「１２：１９：００−１２：２５：２０」となる（図７参照）。
【００８８】
決定部９０ｅは、引き続き、利用者Ｃの残りの予約楽曲について、その演奏時間が時間帯Ｔ０３に含まれるかどうかを判断する。
【００８９】
ここで、次の予約楽曲の演奏開始時刻は「１２：２８：００」であり、利用者Ｃの残りの予約楽曲のうち、予約楽曲Ｍ０９の演奏時間は、「５：０５」である。よって、時間帯Ｔ０３の残りの時間内（７分間）にカラオケ演奏を終了することができる。
【００９０】
従って、決定部９０ｅは、予約楽曲Ｍ０９の演奏開始時刻を「１２：２８：００」と決定する。この場合、予約楽曲Ｍ０９の演奏時刻は「１２：２８：００−１２：３３：０５」となる（図７参照）。
【００９１】
ここで、次の予約楽曲の演奏開始時刻は「１２：３６：００」である。よって、時間帯Ｔ０３は残り時間がない。この場合、決定部９０ｅは、時間帯Ｔ０３における演奏開始時刻の決定を終了する。
【００９２】
（時間帯Ｔ０４）
次に、決定部９０ｅは、時間帯Ｔ０４の２０分間にカラオケ歌唱が可能な利用者Ａ、利用者Ｃ、利用者Ｆ及び利用者Ｈの予約楽曲のうち、演奏開始時刻が未定の予約楽曲を確認する。この時点において、利用者Ａについては演奏開始時刻が未定の予約楽曲は無い。一方、利用者Ｃの予約楽曲については、既に演奏開始時刻が決定されたＭ０２、Ｍ０５、Ｍ０６、Ｍ０７、Ｍ０８、Ｍ０９を除く４曲（予約楽曲Ｍ１０、Ｍ１１、Ｍ１２、及びＭ１３）の演奏開始時刻が未定となっている。また、利用者Ｆの予約楽曲全て（予約楽曲Ｍ０８、Ｍ１２、Ｍ２２、及びＭ２３の４曲）の演奏開始時刻が未定となっている。また、利用者Ｈの予約楽曲については、既に演奏開始時刻が決定されたＭ０２、Ｍ０６、Ｍ２４を除く１曲（予約楽曲Ｍ２５）の演奏開始時刻が未定となっている。
【００９３】
決定部９０ｅは、各利用者のうち、利用日等の入力（受付）が最も早い利用者の予約楽曲の演奏時間が時間帯Ｔ０４に含まれるかどうかを判断する。この例において、利用日等の入力（受付）が最も早い利用者は利用者Ｃである。一方、時間帯Ｔ０３において演奏開始時刻が決定された最後の２曲は利用者Ｃの予約楽曲である。このような場合、決定部９０ｅは、利用者Ｃの次に利用日等の入力が早い利用者Ｆの予約楽曲の演奏時間が時間帯Ｔ０４に含まれるかどうかを判断する。
【００９４】
ここで、各時間帯の最初の予約楽曲についても、上述したように、決定部９０ｅは、先の予約楽曲の演奏終了時刻の後に所定の間隔を設けて演奏開始時刻を設定することが好ましい。つまり、次の予約楽曲の演奏開始時刻は「１２：３６：００」であり、利用者Ｆによって最初に楽曲情報が入力された予約楽曲Ｍ０８の演奏時間は、「６：２０」である。よって、時間帯Ｔ０４の間（１９分間）にカラオケ演奏を終了することができる。
【００９５】
従って、決定部９０ｅは、予約楽曲Ｍ０８の演奏開始時刻を「１２：３６：００」と決定する。この場合、予約楽曲Ｍ０８の演奏時刻は「１２：３６：００−１２：４２：２０」となる（図７参照）。
【００９６】
決定部９０ｅは、引き続き、利用者Ｆの残りの予約楽曲について、その演奏時間が時間帯Ｔ０４に含まれるかどうかを判断する。
【００９７】
ここで、次の予約楽曲の演奏開始時刻は「１２：４５：００」であり、利用者Ｆの予約楽曲Ｍ１２の演奏時間は、「４：００」である。よって、時間帯Ｔ０４の残りの時間内（１０分間）にカラオケ演奏を終了することができる。
【００９８】
従って、決定部９０ｅは、予約楽曲Ｍ１２の演奏開始時刻を「１２：４５：００」と決定する。この場合、予約楽曲Ｍ１２の演奏時刻は「１２：４５：００−１２：４９：００」となる（図７参照）。
【００９９】
ここで、利用者Ｆの予約楽曲が２曲連続したため、決定部９０ｅは、利用日等の入力（受付）が利用者Ｆの次に早い利用者Ｈの予約楽曲の演奏時間が時間帯Ｔ０４に含まれるかどうかを判断する。なお、このように３名以上の利用者が居る場合には、利用日等の入力が早い者から順にローテーションで予約楽曲の演奏時刻を決定する。
【０１００】
次の予約楽曲の演奏開始時刻は「１２：５１：００」であり、利用者Ｈの残りの予約楽曲のうち、予約楽曲Ｍ２５の演奏時間は、「３：４５」である。よって、時間帯Ｔ０４の残りの時間内（４分間）にカラオケ演奏を終了することができる。
【０１０１】
従って、決定部９０ｅは、予約楽曲Ｍ２５の演奏開始時刻を「１２：５１：００」と決定する。この場合、予約楽曲Ｍ２５の演奏時刻は「１２：５１：００−１２：５４：４５」となる（図７参照）。この段階で、利用者Ｈがカラオケ歌唱を希望する予約楽曲は全て演奏開始時刻が決定された。すなわち、利用者Ｈは、予約楽曲を全てカラオケ歌唱することが可能となる。
【０１０２】
ここで、次の予約楽曲の演奏開始時刻は「１２：５７：００」である。よって、時間帯Ｔ０４は残り時間がない。この場合、決定部９０ｅは、時間帯Ｔ０４における演奏開始時刻の決定を終了する。
【０１０３】
（時間帯Ｔ０５）
次に、決定部９０ｅは、時間帯Ｔ０５の４０分間にカラオケ歌唱が可能な利用者Ａ、利用者Ｃ、及び利用者Ｆの予約楽曲のうち、演奏開始時刻が未定の予約楽曲を確認する。この時点において、利用者Ａについては演奏開始時刻が未定の予約楽曲は無い。一方、利用者Ｃの予約楽曲については、既に演奏開始時刻が決定されたＭ０２、Ｍ０５、Ｍ０６、Ｍ０７、Ｍ０８、Ｍ０９を除く４曲（予約楽曲Ｍ１０、Ｍ１１、Ｍ１２、及びＭ１３）の演奏開始時刻が未定となっている。また、利用者Ｆの予約楽曲については、既に演奏開始時刻が決定されたＭ０８、Ｍ１２を除く２曲（予約楽曲Ｍ２２及びＭ２３）の演奏開始時刻が未定となっている。
【０１０４】
決定部９０ｅは、各利用者のうち、演奏開始時刻が未定の予約楽曲があり、且つ利用日等の入力（受付）が最も早い利用者Ｃの予約楽曲の演奏時間が時間帯Ｔ０５に含まれるかどうかを判断する。
【０１０５】
ここで、上述したように、決定部９０ｅは、先の予約楽曲の演奏終了時刻の後に所定の間隔を設けて演奏開始時刻を設定する。つまり、次の予約楽曲の演奏開始時刻は「１２：５７：００」であり、利用者Ｃの残りの予約楽曲のうち、予約楽曲Ｍ１０の演奏時間は、「４：１５」である。よって、時間帯Ｔ０５の間（３８分間）にカラオケ演奏を終了することができる。
【０１０６】
従って、決定部９０ｅは、予約楽曲Ｍ１０の演奏開始時刻を「１２：５７：００」と決定する。この場合、予約楽曲Ｍ１０の演奏時刻は「１２：５７：００−１３：０１：１５」となる（図７参照）。
【０１０７】
決定部９０ｅは、引き続き、利用者Ｃの残りの予約楽曲について、その演奏時間が時間帯Ｔ０５に含まれるかどうかを判断する。
【０１０８】
ここで、次の予約楽曲の演奏開始時刻は「１３：０４：００」であり、利用者Ｃの予約楽曲Ｍ１１の演奏時間は、「５：５５」である。よって、時間帯Ｔ０５の残りの時間内（３１分間）にカラオケ演奏を終了することができる。
【０１０９】
従って、決定部９０ｅは、予約楽曲Ｍ１１の演奏開始時刻を「１３：０４：００」と決定する。この場合、予約楽曲Ｍ１１の演奏時刻は「１３：０４：００−１３：０９：５５」となる（図７参照）。
【０１１０】
ここで、利用者Ｃの予約楽曲が２曲連続したため、決定部９０ｅは、利用日等の入力（受付）が利用者Ｃの次に早い利用者Ｆの予約楽曲の演奏時間が時間帯Ｔ０５に含まれるかどうかを判断する。
【０１１１】
次の予約楽曲の演奏開始時刻は「１３：１２：００」であり、利用者Ｆの残りの予約楽曲のうち、予約楽曲Ｍ２２の演奏時間は、「４：５０」である。よって、時間帯Ｔ０５の残りの時間内（２３分間）にカラオケ演奏を終了することができる。
【０１１２】
従って、決定部９０ｅは、予約楽曲Ｍ２２の演奏開始時刻を「１３：１２：００」と決定する。この場合、予約楽曲Ｍ２２の演奏時刻は「１３：１２：００−１３：１６：５０」となる（図７参照）。
【０１１３】
決定部９０ｅは、引き続き、利用者Ｆの残りの予約楽曲について、その演奏時間が時間帯Ｔ０５に含まれるかどうかを判断する。
【０１１４】
ここで、次の予約楽曲の演奏開始時刻は「１３：１９：００」であり、利用者Ｆの予約楽曲Ｍ２３の演奏時間は、「５：１５」である。よって、時間帯Ｔ０５の残りの時間内（１６分間）にカラオケ演奏を終了することができる。
【０１１５】
従って、決定部９０ｅは、予約楽曲Ｍ２３の演奏開始時刻を「１３：１９：００」と決定する。この場合、予約楽曲Ｍ２３の演奏時刻は、「１３：１９：００−１３：２４：１５」となる（図７参照）。この段階で、利用者Ｆがカラオケ歌唱を希望する予約楽曲は全て演奏開始時刻が決定された。すなわち、利用者Ｆは、予約楽曲を全てカラオケ歌唱することが可能となる。
【０１１６】
決定部９０ｅは、引き続き、時間帯Ｔ０５の間に予約楽曲の演奏開始時刻を決定できるかどうかを判断する。上述の通り、この段階で利用者Ａ及び利用者Ｆがカラオケ歌唱を希望する予約楽曲は全て演奏開始時刻が決定されている。従って、決定部９０ｅは、利用者Ｃの残りの予約楽曲について、その演奏時間が時間帯Ｔ０５に含まれるかどうかを判断する。
【０１１７】
ここで、次の予約楽曲の演奏開始時刻は「１３：２７：００」であり、利用者Ｃの予約楽曲Ｍ１２の演奏時間は、「４：００」である。よって、時間帯Ｔ０５の残りの時間内（８分間）にカラオケ演奏を終了することができる。
【０１１８】
従って、決定部９０ｅは、予約楽曲Ｍ１２の演奏開始時刻を「１３：２７：００」と決定する。この場合、予約楽曲Ｍ１２の演奏時刻は「１３：２７：００−１３：３１：００」となる（図７参照）。
【０１１９】
決定部９０ｅは、引き続き、利用者Ｃの残りの予約楽曲について、その演奏時間が時間帯Ｔ０５に含まれるかどうかを判断する。
【０１２０】
次の予約楽曲の演奏開始時刻は「１３：３３：００」であり、利用者Ｃの残りの予約楽曲のうち、予約楽曲Ｍ１３の演奏時間は、「４：３５」である。よって、時間帯Ｔ０５の残りの時間内（２分間）にカラオケ演奏を終了することができない。この場合、決定部９０ｅは、時間帯Ｔ０５における演奏開始時刻の決定を終了する。
【０１２１】
なお、このように、ある時間帯の間に利用者の予約楽曲のカラオケ演奏を終了できない場合であっても、当該利用者が次の時間帯にカラオケ歌唱が可能な場合には、演奏時刻が次の時間帯に跨るように演奏開始時刻の決定を行ってもよい。
【０１２２】
たとえば、利用者Ｃは、時間帯Ｔ０６においてもカラオケ歌唱が可能である。よって、決定部９０ｅは、予約楽曲Ｍ１３の演奏開始時刻を「１３：３３：００」と決定する。この場合、予約楽曲Ｍ１３の演奏時刻は、時間帯Ｔ０５−時間帯Ｔ０６に跨った「１３：３３：００−１３：３７：３５」となる。このように演奏開始時刻を決定することにより、歌唱時間帯を有効活用できる。よって、予約楽曲の数が多い場合であっても効率的にカラオケ演奏を行うことができる。
【０１２３】
（時間帯Ｔ０６）
次に、決定部９０ｅは、時間帯Ｔ０６の２０分間にカラオケ歌唱が可能な利用者Ａ、利用者Ｂ、利用者Ｃ、及び利用者Ｆの予約楽曲のうち、演奏開始時刻が未定の予約楽曲を確認する。この時点において、利用者Ａ及び利用者Ｆについては演奏開始時刻が未定の予約楽曲は無い。一方、利用者Ｂの予約楽曲全て（予約楽曲Ｍ０３、Ｍ０４、及びＭ０５の３曲）の演奏開始時刻が未定となっている。また、利用者Ｃの予約楽曲については、既に演奏開始時刻が決定されたＭ０２、Ｍ０５、Ｍ０６、Ｍ０７、Ｍ０８、Ｍ０９、Ｍ１０、Ｍ１１及びＭ１２を除く１曲（予約楽曲Ｍ１３）の演奏開始時刻が未定となっている。
【０１２４】
決定部９０ｅは、各利用者のうち、演奏開始時刻が未定の予約楽曲があり、且つ利用日等の入力（受付）が最も早い利用者Ｂの予約楽曲の演奏時間が時間帯Ｔ０６に含まれるかどうかを判断する。
【０１２５】
ここで、利用者Ｂによって最初に楽曲情報が入力された予約楽曲Ｍ０３の演奏時間は、「５：００」である。よって、時間帯Ｔ０６の間（２０分間）にカラオケ演奏を終了することができる。
【０１２６】
従って、決定部９０ｅは、予約楽曲Ｍ０３の演奏開始時刻を「１３：３５：００」と決定する。この場合、予約楽曲Ｍ０３の演奏時刻は「１３：３５：００−１３：４０：００」となる（図７参照）。
【０１２７】
決定部９０ｅは、引き続き、利用者Ｂの残りの予約楽曲について、その演奏時間が時間帯Ｔ０６に含まれるかどうかを判断する。
【０１２８】
ここで、次の予約楽曲の演奏開始時刻は「１３：４２：００」であり、利用者Ｂの予約楽曲Ｍ０４の演奏時間は、「３：５５」である。よって、時間帯Ｔ０６の残りの時間内（１３分間）にカラオケ演奏を終了することができる。
【０１２９】
従って、決定部９０ｅは、予約楽曲Ｍ０４の演奏開始時刻を「１３：４２：００」と決定する。この場合、予約楽曲Ｍ０４の演奏時刻は「１３：４２：００−１３：４５：５５」となる（図７参照）。
【０１３０】
ここで、利用者Ｂの予約楽曲が２曲連続したため、決定部９０ｅは、利用日等の入力（受付）が利用者Ｂの次に早い利用者Ｃの予約楽曲の演奏時間が時間帯Ｔ０６に含まれるかどうかを判断する。
【０１３１】
次の予約楽曲の演奏開始時刻は「１３：４８：００」であり、利用者Ｃの残りの予約楽曲のうち、予約楽曲Ｍ１３の演奏時間は、「４：３５」である。よって、時間帯Ｔ０６の残りの時間内（７分間）にカラオケ演奏を終了することができる。
【０１３２】
従って、決定部９０ｅは、予約楽曲Ｍ１３の演奏開始時刻を「１３：４８：００」と決定する。この場合、予約楽曲Ｍ１３の演奏時刻は「１３：４８：００−１３：５２：３５」となる（図７参照）。この段階で、利用者Ｃがカラオケ歌唱を希望する予約楽曲は全て演奏開始時刻が決定された。すなわち、利用者Ｃは、予約楽曲を全てカラオケ歌唱することが可能となる。
【０１３３】
ここで、次の予約楽曲の演奏開始時刻は「１３：５５：００」である。よって、時間帯Ｔ０６は残り時間がない。この場合、決定部９０ｅは、時間帯Ｔ０６における演奏開始時刻の決定を終了する。
【０１３４】
（時間帯Ｔ０７）
次に、決定部９０ｅは、時間帯Ｔ０７の１３分間にカラオケ歌唱が可能な利用者Ｂ、利用者Ｃ、及び利用者Ｆの予約楽曲のうち、演奏開始時刻が未定の予約楽曲を確認する。この時点において、利用者Ｃ及び利用者Ｆについては演奏開始時刻が未定の予約楽曲は無い。一方、利用者Ｂの予約楽曲については、既に演奏開始時刻が決定されたＭ０３及びＭ０４を除く１曲（予約楽曲Ｍ０５）の演奏開始時刻が未定となっている。
【０１３５】
決定部９０ｅは、各利用者のうち、演奏開始時刻が未定の予約楽曲がある利用者Ｂの予約楽曲の演奏時間が時間帯Ｔ０７に含まれるかどうかを判断する。
【０１３６】
ここで、利用者Ｂの予約楽曲Ｍ０５の演奏時間は、「４：４５」である。よって、時間帯Ｔ０７の間（１３分間）にカラオケ演奏を終了することができる。
【０１３７】
従って、決定部９０ｅは、予約楽曲Ｍ０５の演奏開始時刻を「１３：５５：００」と決定する。この場合、予約楽曲Ｍ０５の演奏時刻は「１３：５５：００−１３：５９：４５」となる（図７参照）。この段階で、利用者Ｂがカラオケ歌唱を希望する予約楽曲は全て演奏開始時刻が決定された。すなわち、利用者Ｂは、予約楽曲を全てカラオケ歌唱することが可能となる。
【０１３８】
ここで、次の予約楽曲の演奏開始時刻は「１４：０２：００」であり、時間帯Ｔ０７においては残り時間が６分あるが、他に演奏開始時刻が未定の予約楽曲がない。この場合、決定部９０ｅは、時間帯Ｔ０７における演奏開始時刻の決定を終了する。
【０１３９】
（時間帯Ｔ０８）
次に、決定部９０ｅは、時間帯Ｔ０８の２０分間にカラオケ歌唱が可能な利用者Ｂ及び利用者Ｆの予約楽曲のうち、演奏開始時刻が未定の予約楽曲を確認する。この時点において、利用者Ｂ及び利用者Ｆについては演奏開始時刻が未定の予約楽曲は無い。従って、決定部９０ｅは、時間帯Ｔ０８について演奏開始時刻の決定を行わない。
【０１４０】
（時間帯Ｔ０９）
次に、決定部９０ｅは、時間帯Ｔ０９の３７分間にカラオケ歌唱が可能な利用者Ｂ、利用者Ｅ、及び利用者Ｆの予約楽曲のうち、演奏開始時刻が未定の予約楽曲を確認する。この時点において、利用者Ｂ及び利用者Ｆについては演奏開始時刻が未定の予約楽曲は無い。一方、利用者Ｅの予約楽曲全て（予約楽曲Ｍ０４、Ｍ１５、Ｍ１６、Ｍ１７、Ｍ１８、Ｍ１９、Ｍ２０、及びＭ２１の８曲）の演奏開始時刻が未定となっている。
【０１４１】
決定部９０ｅは、各利用者のうち、演奏開始時刻が未定の予約楽曲がある利用者Ｅの予約楽曲の演奏時間が時間帯Ｔ０９に含まれるかどうかを判断する。
【０１４２】
ここで、利用者Ｅによって最初に楽曲情報が入力された予約楽曲Ｍ０４の演奏時間は、「３：５５」である。よって、時間帯Ｔ０９の間（３７分間）にカラオケ演奏を終了することができる。
【０１４３】
従って、決定部９０ｅは、予約楽曲Ｍ０４の演奏開始時刻を「１４：２８：００」と決定する。この場合、予約楽曲Ｍ０４の演奏時刻は「１４：２８：００−１４：３１：５５」となる（図７参照）。
【０１４４】
決定部９０ｅは、引き続き、利用者Ｅの残りの予約楽曲について、その演奏時間が時間帯Ｔ０９に含まれるかどうかを判断する。
【０１４５】
ここで、次の予約楽曲の演奏開始時刻は「１４：３４：００」であり、利用者Ｅの予約楽曲Ｍ１５の演奏時間は、「５：４０」である。よって、時間帯Ｔ０９の残りの時間内（３１分間）にカラオケ演奏を終了することができる。
【０１４６】
従って、決定部９０ｅは、予約楽曲Ｍ１５の演奏開始時刻を「１４：３４：００」と決定する。この場合、予約楽曲Ｍ１５の演奏時刻は「１４：３４：００−１４：３９：４０」となる（図７参照）。
【０１４７】
この場合、利用者Ｅの予約楽曲が２曲連続し、且つ他の利用者の予約楽曲のうち演奏開始時刻が未定の予約楽曲が存在しない。従って、決定部９０ｅは、カラオケ演奏を行わない休息時間を設けることができるかどうかを判断する。休息時間は予め所定の時間が設定されている。この例では、予約楽曲の演奏終了時刻について１分未満の端数を繰り上げ、且つ「９分」を加えた時間を休息時間とする。
【０１４８】
ここで、予約楽曲Ｍ１５の演奏終了時刻は「１４：３９：４０」である。よって、時間帯Ｔ０９の残りの時間内（２５分２０秒間）に休息時間を設けることができる。
【０１４９】
従って、決定部９０ｅは、予約楽曲Ｍ１５の演奏終了時刻（１４：３９：４０）から１４：４９：００までを休息時間として決定する（図７参照）。
【０１５０】
なお、この例では、休息時間を設けるための曲数（所定数）と、一の利用者が連続してカラオケ歌唱を可能とする曲数を同じとして説明したが、これらの数は異なっていてもよい。たとえば、一の利用者が連続してカラオケ歌唱を可能とする曲数を「２曲」とし、休息時間を設けるための曲数を「３曲」としてもよい。
【０１５１】
休息時間を設けた後、決定部９０ｅは、引き続き、利用者Ｅの残りの予約楽曲について、その演奏時間が時間帯Ｔ０９に含まれるかどうかを判断する。
【０１５２】
ここで、次の予約楽曲の演奏開始時刻は「１４：４９：００」であり、利用者Ｅの予約楽曲Ｍ１６の演奏時間は、「４：５０」である。よって、時間帯Ｔ０９の残りの時間内（１６分間）にカラオケ演奏を終了することができる。
【０１５３】
従って、決定部９０ｅは、予約楽曲Ｍ１６の演奏開始時刻を「１４：４９：００」と決定する。この場合、予約楽曲Ｍ１６の演奏時刻は「１４：４９：００−１４：５３：５０」となる（図７参照）。
【０１５４】
決定部９０ｅは、引き続き、利用者Ｅの残りの予約楽曲について、その演奏時間が時間帯Ｔ０９に含まれるかどうかを判断する。
【０１５５】
ここで、次の予約楽曲の演奏開始時刻は「１４：５６：００」であり、利用者Ｅの予約楽曲Ｍ１７の演奏時間は、「４：１０」である。よって、時間帯Ｔ０９の残りの時間内（９分間）にカラオケ演奏を終了することができる。
【０１５６】
従って、決定部９０ｅは、予約楽曲Ｍ１７の演奏開始時刻を「１４：５６：００」と決定する。この場合、予約楽曲Ｍ１７の演奏時刻は「１４：５６：００−１５：００：１０」となる（図７参照）。
【０１５７】
この場合、利用者Ｅの予約楽曲が２曲連続し、且つ他の利用者の予約楽曲のうち演奏開始時刻が未定の予約楽曲が存在しない。従って、決定部９０ｅは、カラオケ演奏を行わない休息時間を設けることができるかどうかを判断する。
【０１５８】
ここで、予約楽曲Ｍ１７の演奏終了時刻は「１５：００：１０」である。よって、時間帯Ｔ０９の残りの時間内（４分５０秒間）に休息時間を設けることができない。この場合、決定部９０ｅは、時間帯Ｔ０９における演奏開始時刻の決定を終了する。
【０１５９】
（時間帯Ｔ１０）
次に、決定部９０ｅは、時間帯Ｔ１０の２０分間にカラオケ歌唱が可能な利用者Ｂ、利用者Ｄ、利用者Ｅ、及び利用者Ｆの予約楽曲のうち、演奏開始時刻が未定の予約楽曲を確認する。この時点において、利用者Ｂ及び利用者Ｆについては演奏開始時刻が未定の予約楽曲は無い。一方、利用者Ｄの予約楽曲全て（予約楽曲Ｍ０４及びＭ１４の２曲）の演奏開始時刻が未定となっている。また、利用者Ｅの予約楽曲については、既に演奏開始時刻が決定されたＭ０４、Ｍ１５、Ｍ１６、及びＭ１７を除く４曲（予約楽曲Ｍ１８、Ｍ１９、Ｍ２０、Ｍ２１）の演奏開始時刻が未定となっている。
【０１６０】
決定部９０ｅは、各利用者のうち、演奏開始時刻が未定の予約楽曲があり、且つ利用日等の入力（受付）が最も早い利用者Ｄの予約楽曲の演奏時間が時間帯Ｔ１０に含まれるかどうかを判断する。
【０１６１】
ここで、利用者Ｄによって最初に楽曲情報が入力された予約楽曲Ｍ０４の演奏時間は、「３：５５」である。よって、時間帯Ｔ１０の間（２０分間）にカラオケ演奏を終了することができる。
【０１６２】
従って、決定部９０ｅは、予約楽曲Ｍ０４の演奏開始時刻を「１５：０５：００」と決定する。この場合、予約楽曲Ｍ０４の演奏時刻は「１５：０５：００−１５：０８：５５」となる（図７参照）。
【０１６３】
決定部９０ｅは、引き続き、利用者Ｄの残りの予約楽曲について、その演奏時間が時間帯Ｔ１０に含まれるかどうかを判断する。
【０１６４】
ここで、次の予約楽曲の演奏開始時刻は「１５：１１：００」であり、利用者Ｄの予約楽曲Ｍ１４の演奏時間は、「５：１０」である。よって、時間帯Ｔ１０の残りの時間内（１４分間）にカラオケ演奏を終了することができる。
【０１６５】
従って、決定部９０ｅは、予約楽曲Ｍ１４の演奏開始時刻を「１５：１１：００」と決定する。この場合、予約楽曲Ｍ１４の演奏時刻は「１５：１１：００−１５：１６：１０」となる（図７参照）。この段階で、利用者Ｄがカラオケ歌唱を希望する予約楽曲は全て演奏開始時刻が決定された。すなわち、利用者Ｄは、予約楽曲を全てカラオケ歌唱することが可能となる。
【０１６６】
決定部９０ｅは、引き続き、時間帯Ｔ１０の間に予約楽曲の演奏開始時刻を決定できるかどうかを判断する。決定部９０ｅは、利用者Ｅの残りの予約楽曲について、その演奏時間が時間帯Ｔ１０に含まれるかどうかを判断する。
【０１６７】
ここで、次の予約楽曲の演奏開始時刻は「１５：１９：００」であり、利用者Ｅの予約楽曲Ｍ１８の演奏時間は、「３：５０」である。よって、時間帯Ｔ１０の残りの時間内（６分間）にカラオケ演奏を終了することができる。
【０１６８】
従って、決定部９０ｅは、予約楽曲Ｍ１８の演奏開始時刻を「１５：１９：００」と決定する。この場合、予約楽曲Ｍ１８の演奏時刻は「１５：１９：００−１５：２２：５０」となる（図７参照）。
【０１６９】
ここで、次の予約楽曲の演奏開始時刻は「１５：２５：００」である。よって、時間帯Ｔ１０は残り時間がない。この場合、決定部９０ｅは、時間帯Ｔ１０における演奏開始時刻の決定を終了する。
【０１７０】
（時間帯Ｔ１１）
次に、決定部９０ｅは、時間帯Ｔ１１の１２分間にカラオケ歌唱が可能な利用者Ｄ、利用者Ｅ、及び利用者Ｆの予約楽曲のうち、演奏開始時刻が未定の予約楽曲を確認する。この時点において、利用者Ｄ及び利用者Ｆについては演奏開始時刻が未定の予約楽曲は無い。一方、利用者Ｅの予約楽曲については、既に演奏開始時刻が決定されたＭ０４、Ｍ１５、Ｍ１６、Ｍ１７、及びＭ１８を除く３曲（予約楽曲Ｍ１９、Ｍ２０、Ｍ２１）の演奏開始時刻が未定となっている。
【０１７１】
決定部９０ｅは、各利用者のうち、演奏開始時刻が未定の予約楽曲がある利用者Ｅの予約楽曲の演奏時間が時間帯Ｔ１１に含まれるかどうかを判断する。
【０１７２】
ここで、利用者Ｅの予約楽曲Ｍ１９の演奏時間は、「６：０５」である。よって、時間帯Ｔ１１の間（１２分間）にカラオケ演奏を終了することができる。
【０１７３】
従って、決定部９０ｅは、予約楽曲Ｍ１９の演奏開始時刻を「１５：２５：００」と決定する。この場合、予約楽曲Ｍ１９の演奏時刻は「１５：２５：００−１５：３１：０５」となる（図７参照）。
【０１７４】
ここで、時間帯Ｔ１０から利用者Ｅの予約楽曲が２曲連続し、且つ他の利用者の予約楽曲のうち演奏開始時刻が未定の予約楽曲が存在しない。従って、決定部９０ｅは、カラオケ演奏を行わない休息時間を設けることができるかどうかを判断する。
【０１７５】
予約楽曲Ｍ１９の演奏終了時刻は「１５：３１：０５」である。よって、時間帯Ｔ１１の残りの時間内（６分５５秒間）に休息時間を設けることができない。この場合、決定部９０ｅは、時間帯Ｔ１１における演奏開始時刻の決定を終了する。
【０１７６】
（時間帯Ｔ１２）
次に、決定部９０ｅは、時間帯Ｔ１２の７８分間にカラオケ歌唱が可能な利用者Ｄ及び利用者Ｅの予約楽曲のうち、演奏開始時刻が未定の予約楽曲を確認する。この時点において、利用者Ｄについては演奏開始時刻が未定の予約楽曲は無い。一方、利用者Ｅの予約楽曲については、既に演奏開始時刻が決定されたＭ０４、Ｍ１５、Ｍ１６、Ｍ１７、Ｍ１８、及びＭ１９を除く２曲（予約楽曲Ｍ２０、Ｍ２１）の演奏開始時刻が未定となっている。
【０１７７】
時間帯Ｔ１０−時間帯Ｔ１１にかけて利用者Ｅの予約楽曲が２曲連続し、且つ他の利用者の予約楽曲のうち演奏開始時刻が未定の予約楽曲が存在しない。従って、決定部９０ｅは、カラオケ演奏を行わない休息時間を設けることができるかどうかを判断する。
【０１７８】
ここで、時間帯Ｔ１２は７８分間あるため、時間帯Ｔ１２の間に休息時間を設けることができる。
【０１７９】
従って、決定部９０ｅは、時間帯Ｔ１２の開始時刻（１５：３７：００）から９分間（１５：４６：００まで）を休息時間として決定する（図７参照）。
【０１８０】
休息時間を設けた後、決定部９０ｅは、引き続き、利用者Ｅの残りの予約楽曲について、その演奏時間が時間帯Ｔ１２に含まれるかどうかを判断する。
【０１８１】
ここで、次の予約楽曲の演奏開始時刻は「１５：４６：００」であり、Ｅの予約楽曲Ｍ２０の演奏時間は、「５：４０」である。よって、時間帯Ｔ１２の残りの時間内（６９分間）にカラオケ演奏を終了することができる。
【０１８２】
従って、決定部９０ｅは、予約楽曲Ｍ２０の演奏開始時刻を「１５：４６：００」と決定する。この場合、予約楽曲Ｍ２０の演奏時刻は「１５：４６：００−１５：５１：４０」となる（図７参照）。
【０１８３】
決定部９０ｅは、引き続き、利用者Ｅの残りの予約楽曲について、その演奏時間が時間帯Ｔ１２に含まれるかどうかを判断する。
【０１８４】
ここで、次の予約楽曲の演奏開始時刻は「１５：５４：００」であり、利用者Ｅの予約楽曲Ｍ２１の演奏時間は、「４：５５」である。よって、時間帯Ｔ１２の残りの時間内（６１分間）にカラオケ演奏を終了することができる。
【０１８５】
従って、決定部９０ｅは、予約楽曲Ｍ２１の演奏開始時刻を「１５：５４：００」と決定する。この場合、予約楽曲Ｍ２１の演奏時刻は「１５：５４：００−１５：５８：５５」となる（図７参照）。この段階で、利用者Ｅを含む全ての利用者がカラオケ歌唱を希望する予約楽曲について演奏開始時刻が決定された。よって、決定部９０ｅは、時間帯Ｔ１２における演奏開始時刻の決定を終了する。
【０１８６】
（時間帯Ｔ１３）
上述の通り、利用日Ｘにおいてカラオケ用コネクテッドカー１を利用する利用者Ａ−利用者Ｈ全ての予約楽曲について演奏開始時刻が決定されている。よって、決定部９０ｅは、時間帯Ｔ１３について演奏開始時刻の決定を行わない。
【０１８７】
決定部９０ｅは、決定した予約楽曲の演奏開始時刻及び休憩時間の情報（演奏時刻表）を記憶部６０に記憶する。
【０１８８】
利用日Ｘになった場合、カラオケ用コネクテッドカー１は、運行スケジュールに基づいて走行し、利用者の送迎を行う。この場合、コンピュータ装置Ｃは、カラオケ装置Ｋに対して記憶部６０に記憶されている利用日Ｘの演奏時刻表を提供する。カラオケ装置Ｋは、演奏時刻表に示された予約楽曲及び演奏開始時刻に基づいて、自動的に当該予約楽曲のカラオケ演奏を行う。
【０１８９】
＝＝カラオケ用コネクテッドカーにおける処理について＝＝
次に、図８を参照してカラオケ用コネクテッドカー１における処理の具体例について述べる。図８は、カラオケ用コネクテッドカー１における処理例を示すフローチャートである。
【０１９０】
受付部９０ａは、カラオケ用コネクテッドカー１の運行開始前までに、利用者がカラオケ歌唱を希望する予約楽曲の楽曲情報を受け付ける（予約楽曲の受付。ステップ１０）。
【０１９１】
取得部９０ｂは、ステップ１０で受け付けた楽曲情報に基づいて、予約楽曲の演奏時間を取得する（演奏時間の取得。ステップ１１）。
【０１９２】
設定部９０ｃは、運行スケジュールに基づいて、カラオケ歌唱を可能とする歌唱時間帯を利用者毎に設定する（歌唱時間帯の設定。ステップ１２）。
【０１９３】
分割部９０ｄは、ステップ１２で設定された各利用者の歌唱時間帯を、カラオケ歌唱が可能な利用者に応じて複数の時間帯に分割する（複数の時間帯に分割。ステップ１３）。
【０１９４】
決定部９０ｅは、ステップ１１で取得された予約楽曲の演奏時間、ステップ１２で設定された歌唱時間帯に基づいて、ステップ１３で分割された複数の時間帯毎に、予約楽曲の演奏開始時刻を決定する（演奏開始時刻の決定。ステップ１４）。
【０１９５】
その後、カラオケ用コネクテッドカー１の利用日になった場合、コンピュータ装置Ｃは、運行スケジュールに基づいて、カラオケ用コネクテッドカー１の走行を制御し、各利用者の送迎を行う（運行スケジュールに基づいて走行。ステップ１５）。
【０１９６】
その際、カラオケ装置Ｋは、ステップ１４で決定された演奏開始時刻に基づいて予約楽曲のカラオケ演奏を行う（演奏開始時刻に基づくカラオケ演奏。ステップ１６）。
【０１９７】
以上で述べた通り、本実施形態に係るカラオケ用コネクテッドカー１は、車内でカラオケ演奏を行うためのカラオケ装置Ｋを備え、利用者の乗車時刻及び降車時刻を設定した運行スケジュールに基づいて走行を制御する。カラオケ用コネクテッドカー１は、運行開始前までに、利用者がカラオケ歌唱を希望する予約楽曲の楽曲情報を受け付ける受付部９０ａと、受け付けた楽曲情報に基づいて、予約楽曲の演奏時間を取得する取得部９０ｂと、運行スケジュールに基づいて、カラオケ歌唱を可能とする歌唱時間帯を利用者毎に設定する設定部９０ｃと、予約楽曲の演奏時間、及び設定された歌唱時間帯に基づいて、予約楽曲の演奏開始時刻を決定する決定部９０ｅと、を有する。
【０１９８】
このようなカラオケ用コネクテッドカー１によれば、利用者が乗車する前にカラオケ歌唱を希望する楽曲を予め入力しておくことで、乗車後に自動でカラオケ演奏が開始される。よって、機械操作に慣れていない高齢者等であっても、乗車後に自らリモコン操作を行うことなく、カラオケ歌唱を楽しむことができる。すなわち、本実施形態に係るカラオケ用コネクテッドカー１によれば、カラオケ歌唱を希望する利用者が、乗車中にカラオケ歌唱をする機会を確実に得ることができる。
【０１９９】
また、本実施形態に係るカラオケ用コネクテッドカー１は、設定された各利用者の歌唱時間帯を、カラオケ歌唱が可能な利用者に応じて複数の時間帯に分割する分割部９０ｄを有し、決定部９０ｅは、分割された複数の時間帯毎に、演奏開始時刻を決定することができる。このように歌唱時間帯を複数の時間帯に分割することにより、時間帯毎に予約楽曲の演奏開始時刻を決定できる。
【０２００】
また、本実施形態に係る決定部９０ｅは、同じ利用者の予約楽曲が所定数以上連続しないよう、演奏開始時刻を決定することができる。カラオケスナック等の店舗であれば、店員が、同じ利用者が連続してカラオケ歌唱を行うことが無いよう調整することができる。一方、カラオケ用コネクテッドカー１は、自動運転により走行するため、そのような調整を行ってくれる者が居ない。そこで、同じ利用者の予約楽曲が所定数以上連続しないよう演奏開始時刻を決定することにより、同じ利用者が連続してカラオケ歌唱を行うことを防止できる。従って、利用者が複数いる場合であっても、それぞれがカラオケ歌唱を楽しむことができる。
【０２０１】
また、決定部９０ｅは、同じ利用者の予約楽曲の演奏開始時刻が所定数連続して決定され、且つ他の利用者の予約楽曲のうち演奏開始時刻が未定の予約楽曲が存在しない場合、カラオケ演奏を行わない休息時間を設けることができる。このように休息時間を強制的に設定することにより、歌い過ぎを防止することができる。
【０２０２】
＜第２実施形態＞
次に、図９−図１１を参照して、第２実施形態に係るカラオケ用コネクテッドカーについて説明する。
【０２０３】
カラオケ用コネクテッドカー１を利用する利用者の中には、従来のカラオケスナックやカラオケボックスの利用者と同様、カラオケ歌唱の合間に休憩を挟んだり、他の利用者との会話を楽しんだり、或いは食事を取りたいと考える者もいる。そこで、第１実施形態のように予約楽曲の演奏開始時刻を決定する際には、これらの時間を考慮することが好ましい。本実施形態では、このような利用者それぞれの希望に沿って歌唱時間帯を設定することができる構成について説明を行う。なお、第１実施形態と同様の処理については詳細な説明を省略する。
【０２０４】
（受付部）
本実施形態に係る受付部９０ａは、利用者がカラオケ演奏を希望する一または複数の歌唱希望時間帯の情報を受け付ける。
【０２０５】
歌唱希望時間帯は、利用者がカラオケ用コネクテッドカー１を利用する時刻（乗車時刻−降車時刻）に含まれる時間帯である。利用者は、たとえば、利用日、乗車希望時刻、及び降車希望時刻を入力する際に、歌唱希望時間帯の入力を行う。受付部９０ａは、利用者が入力した歌唱希望時間帯の情報を受け付けた場合、設定部９０ｃに出力する。
【０２０６】
図９は、利用日Ｘにカラオケ用コネクテッドカー１の利用を希望する利用者Ａ〜利用者Ｈが入力した乗車希望時刻、降車希望時刻、歌唱希望時間帯、食事の要否、及び予約楽曲を示した図である。図９の例によれば、利用者Ａは、２つの歌唱希望時間帯を入力しており、且つ予約楽曲を２曲入力している。従って、利用者Ａは、最初の歌唱希望時間帯で１曲のカラオケ歌唱を行い、休憩を挟んだ後、もう１曲のカラオケ歌唱を行うことを意図していると考えられる。また、利用者Ｂは、食事を取ることを考えており、且つ乗車希望時刻の１時間後に歌唱希望時間帯を入力している。従って、利用者Ｂは、乗車後に食事を取った後、３曲のカラオケ歌唱を行うことを意図していると考えられる。
【０２０７】
なお、歌唱希望時間帯の入力は、運行開始前であれば、いつでも可能である。たとえば、運行スケジュールが確定した後に行ってもよい。また、歌唱希望時間帯の入力は、予約楽曲の楽曲情報の入力と併せて行ってもよいし、別々で行ってもよい。
【０２０８】
（設定部）
本実施形態に係る設定部９０ｃは、運行スケジュール及び歌唱希望時間帯の情報に基づいて、歌唱時間帯を設定する。
【０２０９】
図１０は、図２に示した運行スケジュール及び図９に示した歌唱希望時間帯の情報に基づいて設定された利用者毎の乗車時刻、降車時刻、歌唱時間帯、各利用者がカラオケ歌唱を希望する予約楽曲、及び取得された演奏時間を示した図である。
【０２１０】
たとえば、利用者Ａは、歌唱希望時間帯として１１：３０−１２：００、１３：３０−１４：００を入力している（図９参照）。そこで、設定部９０ｃは、乗車時刻１１：３０の５分後（１１：３５）から最初の歌唱希望時間帯の終了時刻１２：００を１つ目の歌唱時間帯として設定する。また、設定部９０ｃは、２つ目の歌唱希望時間帯の開始時刻１３：３０から降車時刻の５分前（１３：５５）を２つ目の歌唱時間帯として設定する。
【０２１１】
（分割部）
分割部９０ｄは、第１実施形態と同様、設定された各利用者の歌唱時間帯を、カラオケ歌唱が可能な利用者に応じて複数の時間帯に分割する。
【０２１２】
本実施形態では、図１１に示すように、分割部９０ｄは、全体の歌唱時間帯（１１：０５−１７：０１）を、利用者Ｃのみがカラオケ歌唱が可能である時間帯Ｔ０１（１１：０５−１１：１０の５分間）、利用者Ｃ及び利用者Ｈのみがカラオケ歌唱が可能である時間帯Ｔ０２（１１：１０−１１：３５の２５分間）、利用者Ａ、利用者Ｃ、利用者Ｈのみがカラオケ歌唱が可能である時間帯Ｔ０３（１１：３５−１２：００の２５分間）、利用者Ｃのみがカラオケ歌唱が可能である時間帯Ｔ０４（１２：００−１２：３５の３５分間）、利用者Ｃ、利用者Ｆのみがカラオケ歌唱が可能である時間帯Ｔ０５（１２：３５−１３：３０の５５分間）、利用者Ａ、利用者Ｃのみがカラオケ歌唱が可能である時間帯Ｔ０６（１３：３０−１３：５５の２５分間）、利用者Ｃのみがカラオケ歌唱が可能である時間帯Ｔ０７（１３：５５−１４：０８の１３分間）、カラオケ歌唱が可能である利用者が居ない時間帯Ｔ０８（１４：０８−１４：２８の２０分間）、利用者Ｅのみがカラオケ歌唱が可能である時間帯Ｔ０９（１４：２８−１４：３０の２分間）、利用者Ｂ、利用者Ｅ、利用者Ｆのみがカラオケ歌唱が可能である時間帯Ｔ１０（１４：３０−１５：０５の３５分間）、利用者Ｂ、利用者Ｄ、利用者Ｅ、利用者Ｆのみがカラオケ歌唱が可能である時間帯Ｔ１１（１５：０５−１５：２５の２０分間）、利用者Ｄ、利用者Ｅ、利用者Ｆのみがカラオケ歌唱が可能である時間帯Ｔ１２（１５：２５−１５：３７の１２分間）、利用者Ｄ、利用者Ｅのみがカラオケ歌唱が可能である時間帯Ｔ１３（１５：３７−１６：５５の７８分間）、及び利用者Ｅのみがカラオケ歌唱が可能である時間帯Ｔ１４（１６：５５−１７：０１の６分間）の１４の時間帯に分割する。より具体的には、第１実施形態と同じように、図１０に示した９の歌唱時間帯の開始時刻と終了時刻の計１８の時刻情報を早い順に並べる。ただし本実施形態においては、１２：００、１３：３０、１４：３０の３つの時刻情報が重複するため、１５の時刻情報を並べることにより（１１：０５、１１：１０、１１：３５、１２：００、１２：３５、１３：３０、１３：５５、１４：０８、１４：２８、１４：３０、１５：０５、１５：２５、１５：３７、１６：５５、１７：０１）、１４の時間帯を得ることができる。そして、当該時間帯を歌唱時間帯に含む利用者を、各時間帯に対してそれぞれ紐付ける。
【０２１３】
（決定部）
決定部９０ｅは、分割された１４の時間帯毎に、予約楽曲の演奏時間、及び設定された歌唱時間帯に基づいて、予約楽曲の演奏開始時刻を決定する。決定部９０ｅによる具体的な処理は、第１実施形態と同様であるため詳細な説明を省略する。
【０２１４】
なお先の説明では、利用者Ａが、最初の歌唱希望時間帯で１曲のカラオケ歌唱を行い、休憩を挟んだ後、もう１曲のカラオケ歌唱を行うことを意図していると考えられると述べたが、利用者Ａが、いずれか１つの歌唱希望時間帯で２曲のカラオケ歌唱を行ってもよいと考えている可能性もある。よって、決定部９０ｅは、利用者の歌唱時間帯が複数設定されている場合に、一部の歌唱時間帯のみに予約楽曲の演奏開始時刻を決定してもよい。
【０２１５】
このように、本実施形態に係る受付部９０ａは、利用者がカラオケ演奏を希望する一または複数の歌唱希望時間帯の情報を受け付け、設定部９０ｃは、運行スケジュール及び歌唱希望時間帯の情報に基づいて、歌唱時間帯を設定することができる。このように、利用者がカラオケ演奏を希望する時間帯に基づいて歌唱時間帯を設定することにより、利用者は自分の希望する時間帯でカラオケ歌唱を行うことが可能となる。
【０２１６】
＜変形例＞
予約楽曲の演奏開始時刻の決定処理は上記例に限られない。たとえば、分割部９０ｄを設けない構成であってもよい。
【０２１７】
具体的に、決定部９０ｅは、予約楽曲の演奏時間、及び設定された歌唱時間帯に基づいて、利用日等の入力（受付）が最も早い利用者の予約楽曲から順に１曲ずつ予約楽曲の演奏開始時刻を決定することができる。
【０２１８】
図１２は、本変形例において決定された利用者Ａ−利用者Ｈの演奏時刻表である。図１２における「決定順」は、演奏開始時刻が決定される順番を示している。たとえば、上記実施形態において利用日等の入力が最も早い利用者Ａは、歌唱時間帯が１１：３５−１３：５５となっている。よって、決定部９０ｅは、利用者Ａの予約楽曲Ｍ０１の演奏開始時刻を「１１：３５：００」として決定する（図１２における決定順「１」）。次に、利用日等の入力が早い利用者Ｂは、歌唱時間帯が１３：３５−１５：２５となっている。よって、決定部９０ｅは、利用者Ｂの予約楽曲Ｍ０３の演奏開始時刻を「１３：３５：００」として決定する（図１２における決定順「２」）。決定部９０ｅは、利用者Ｃ、利用者Ｄ・・・・利用者Ｈの順で演奏開始時刻を決定した後、再度、利用者Ａに戻って次の予約楽曲Ｍ０２の演奏開始時刻を決定する。決定部９０ｅは、全ての利用者の予約楽曲の演奏開始時刻を決定するまで繰り返し処理を行う。
【０２１９】
また、決定部９０ｅによる処理のうち、同じ利用者の予約楽曲が所定数以上連続しないよう、演奏開始時刻を決定する処理やカラオケ演奏を行わない休息時間を設ける処理についても必須の処理ではない。
【０２２０】
また、上記実施形態において、演奏時刻を決定する処理はコンピュータ装置Ｃで行っていたが、カラオケ装置Ｋで行ってもよい。その場合、カラオケ装置Ｋが受付部９０ａ、取得部９０ｂ、設定部９０ｃ、分割部９０ｄ、及び決定部９０ｅを備える。
【０２２１】
また、上記実施形態に係るコンピュータ装置Ｃをカラオケ用コネクテッドカー１とは別に設け、コンピュータ装置Ｃで得られた演奏時刻表をカラオケ用コネクテッドカー１に提供することも可能である。この場合、コンピュータ装置Ｃは、カラオケ用コネクテッドカー１の運行開始前までに、利用者がカラオケ歌唱を希望する予約楽曲の楽曲情報を受け付ける受付部と、受け付けた楽曲情報に基づいて、予約楽曲の演奏時間を取得する取得部と、運行スケジュールに基づいて、カラオケ歌唱を可能とする歌唱時間帯を利用者毎に設定する設定部と、予約楽曲の演奏時間、及び設定された歌唱時間帯に基づいて、予約楽曲の演奏開始時刻を決定する決定部と、を有する。また、上記実施形態による処理を実行するためのプログラムを提供することも可能である。当該プログラムは、コンピュータ装置Ｃを、運行スケジュールに基づく運行開始前までに、利用者がカラオケ歌唱を希望する予約楽曲の楽曲情報を受け付ける受付部、受け付けた楽曲情報に基づいて、予約楽曲の演奏時間を取得する取得部、運行スケジュールに基づいて、カラオケ歌唱を可能とする歌唱時間帯を利用者毎に設定する設定部、予約楽曲の演奏時間、及び設定された歌唱時間帯に基づいて、予約楽曲の演奏開始時刻を決定する決定部として機能させるためのプログラムである。
【０２２２】
ところで、上記実施形態の構成によれば、演奏開始時刻は、先の時間帯から順に決定されるため、ある時間帯における最後の予約楽曲の演奏終了時刻と、直後の時間帯における最初の予約楽曲の演奏開始時刻との間に所定の間隔が設けられない場合もありうる。
【０２２３】
このような場合において、決定部９０ｅは、予約楽曲Ｍnが時間帯Ｔnの間にカラオケ演奏を終了することができると判断した場合には、直後の時間帯Ｔn+1の開始時刻に関わらず、予約楽曲Ｍnの演奏開始時刻を決定してもよい。予約楽曲Ｍnは時間帯Ｔn内でカラオケ演奏が終了するため、少なくとも時間帯Ｔn+1におけるカラオケ演奏に影響を及ぼすことは無い。
【０２２４】
一方、所定の間隔が設けられない場合、決定部９０ｅは楽曲の演奏開始時刻を決定しないという処理も可能である。たとえば、決定部９０ｅは、楽曲Ｍnが時間帯Ｔnの間にカラオケ演奏を終了することができると判断した場合、楽曲Ｍnの演奏開始時刻を設定したときの時間帯Ｔnの残り時間ｔrを確認する。残り時間ｔrが所定の間隔に満たない場合、決定部９０ｅは、楽曲Ｍnの演奏開始時刻を決定せず、時間帯Ｔnにおける処理を終了する。
【０２２５】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【０２２６】
１  カラオケ用コネクテッドカー
９０ａ  受付部
９０ｂ  取得部
９０ｃ  設定部
９０ｄ  分割部
９０ｅ  決定部
Ｃ  コンピュータ装置
Ｋ  カラオケ装置
【図１】
2020020862.tif 000003
【図２】
2020020862.tif 000004
【図３】
2020020862.tif 000005
【図４】
2020020862.tif 000006
【図５】
2020020862.tif 000007
【図６】
2020020862.tif 000008
【図７】
2020020862.tif 000009
【図８】
2020020862.tif 000010
【図９】
2020020862.tif 000011
【図１０】
2020020862.tif 000012
【図１１】
2020020862.tif 000013
【図１２】
2020020862.tif 000014